(57)【特許請求の範囲】
【請求項１】
冷蔵庫本体の両側面および上面を覆う本体用カバーパネルと、冷蔵庫の扉の外側を覆う扉用カバーパネルとからなる冷蔵庫用カバーパネルユニットであって、
前記扉用カバーパネルが、扉の前面および左右両側面を覆う前面パネルと、扉の上面を覆う上面パネルと、扉の下面を覆う下面パネルとからなり、
上面パネルの前方下側に、鉄板を断面コ字状に折り曲げ形成してなり後縁端に折り返しを設けた装着補助体が溶接され、かつその前端縁に係合突片が突設されており、
下面パネルの前方上側に、鉄板を断面コ字状に折り曲げ形成してなり後縁端に折り返しを設けた装着補助体が溶接され、その前端縁に係合突片が突設されているとともに、
前面パネルの上下端縁にＵ字状の折り返し部が設けられており、なおかつ、上面パネルの後端縁および下面パネルの後端縁に、それぞれ折り返しが設けられており、
上面パネルのコ字状係合突片および下面パネルのコ字状係合突片を前面パネルの折り返し部に係合させることによって、前面パネルと上面パネルと下面パネルとを一体にし、かつ、上面パネルに溶接された装着補助体の折り返しと上面パネルの後端縁の折り返しとの間に、扉の上端縁を嵌め込み、下面パネルに溶接された装着補助体の折り返しと下面パネルの後端縁の折り返しとの間に、扉の下端縁を嵌め込んだ状態で、前記扉用カバーパネルが冷蔵庫の扉の外側を覆うことを特徴とする冷蔵雇用カバーパネルユニット。
【発明の詳細な説明】
【０００１】
【発明の属する技術分野】
本発明は、冷蔵庫の外側を覆うように設置されるカバーパネルユニットに関するものである。
【０００２】
【従来の技術】
冷蔵庫の外観を改善したり、イメージチェンジを図ったりする目的で、冷蔵庫の外周を覆うように、カバーパネルユニットが設置されることがある。かかるカバーパネルユニットとしては、冷蔵庫の扉の前面、上面、下面、側面に、それぞれ別個の扉用カバーパネルを取り付けるタイプのものが知られている。
【０００３】
【発明が解決しようとする課題】
しかしながら、上記従来のカバーパネルユニットは、冷蔵庫の扉の前面、上面、下面、側面に取り付ける扉用カバーパネルが分離しているため、各扉用カバーパネルと冷蔵庫の扉との接合部分が限定されるので、各扉用カバーパネルが冷蔵庫の扉から外れ易い、という不具合がある。
【０００４】
本発明の目的は、上記問題点を解消し、扉用カバーパネルが冷蔵庫の扉から外れにくい冷蔵庫用カバーパネルユニットを提供することにある。
【０００５】
【課題を解決するための手段】
かかる本発明は、冷蔵庫本体の両側面および上面を覆う本体用カバーパネルと、冷蔵庫の扉の外側を覆う扉用カバーパネルとからなる冷蔵庫用カバーパネルユニットであって、前記扉用カバーパネルが、扉の前面および左右両側面を覆う前面パネルと、扉の上面を覆う上面パネルと、扉の下面を覆う下面パネルとからなり、上面パネルの前方下側に、鉄板を断面コ字状に折り曲げ形成してなり後縁端に折り返しを設けた装着補助体が溶接され、かつその前端縁に係合突片が突設されており、下面パネルの前方上側に、鉄板を断面コ字状に折り曲げ形成してなり後縁端に折り返しを設けた装着補助体が溶接され、その前端縁に係合突片が突設されているとともに、前面パネルの上下端縁にＵ字状の折り返し部が設けられており、なおかつ、上面パネルの後端縁および下面パネルの後端縁に、それぞれ折り返しが設けられており、上面パネルのコ字状係合突片および下面パネルのコ字状係合突片を前面パネルの折り返し部に係合させることによって、前面パネルと上面パネルと下面パネルとを一体にし、かつ、上面パネルに溶接された装着補助体の折り返しと上面パネルの後端縁の折り返しとの間に、扉の上端縁を嵌め込み、下面パネルに溶接された装着補助体の折り返しと下面パネルの後端縁の折り返しとの間に、扉の下端縁を嵌め込んだ状態で、前記扉用カバーパネルが冷蔵庫の扉の外側を覆うことを特徴とするものである。
【０００６】
【発明の実施の形態】
以下、本発明に係る冷蔵庫用カバーパネルユニット（以下、単に、カバーパネルユニットという）の一実施形態を図面に基づいて詳細に説明する。
【０００７】
［実施例１］
図１は、実施例１のカバーパネルユニットを冷蔵庫に取り付ける状態を示したものであり、図２は、実施例１のカバーパネルユニットを取り付けた冷蔵庫を示したものである。カバーパネルユニットを取り付ける冷蔵庫は、本体１の中央の仕切り板の上下に、２個の扉２，２が、片開き自在に取り付けられている（なお、図１は、扉２，２を取り外した状態を示したものである）。カバーパネルユニットは、冷蔵庫の本体１を覆う本体用カバーパネル４、冷蔵庫の上下の扉２，２を覆う扉用カバーパネル５，５によって構成されている。なお、扉用カバーパネル５，５は、上の扉２を覆うものと下の扉２を覆うものとでは大きさが異なっているが、同一の構造を有している。なお、本体用カバーパネル４、扉用カバーパネル５，５とも、ステンレス板をプレス加工することによって形成されており、光沢を有するように表面処理された後に着色されている。
【０００８】
本体用カバーパネル４は、冷蔵庫の本体１の左右両側面を覆う側面パネル６，７と、冷蔵庫の本体１の上面を覆う天井パネル８と、本体１の仕切り板の前面を覆う仕切り板パネル９、本体１の底板の前面を覆う底板パネル１０とによって構成されている。
【０００９】
側面パネル６，７は、それぞれ、長方形のパネルの外周縁が内側に折り曲げ形成されており、それらの折り曲げ部分の所定の箇所に、ビス孔（図示せず）が穿設されている。そして、冷蔵庫の本体１の側面に当接させた状態で、ビス孔を挿通させたビスを、本体１の側面に穿設されたビス孔（図示せず）に螺合させることによって、冷蔵庫の側面に装着することができるようになっている。
【００１０】
また、天井パネル８は、長方形のパネルの前縁部が折り曲げられて形成されており、その折り曲げ部分の所定の箇所にビス孔（図示せず）が穿設されている。そして、冷蔵庫の本体１の上面に当接させた状態で、ビス孔を挿通させたビスを、本体１の上面に穿設されたビス孔（図示せず）に螺合させることによって、冷蔵庫の上面に装着することができるようになっている。
【００１１】
さらに、仕切り板パネル９は、長尺帯状に形成されており、所定の箇所にビス孔（図示せず）が穿設されている。そして、冷蔵庫の本体１の仕切り板の前面に当接させた状態で、ビス孔を挿通させたビスを、本体１の仕切り板の前面に穿設されたビス孔（図示せず）に螺合させることによって、冷蔵庫の仕切り板の前面に装着することができるようになっている。
【００１２】
同様に、底板パネル１０も、長尺帯状に形成されており、所定の箇所にビス孔（図示せず）が穿設されている。そして、冷蔵庫の本体１の底板の前面に当接させた状態で、ビス孔を挿通させたビスを、本体１の底板の前面に穿設されたビス孔（図示せず）に螺合させることによって、冷蔵庫の底板の前面に装着することができるようになっている。
【００１３】
一方、各扉用カバーパネル５，５は、扉２の前面および側面を覆う前面パネル１１の上下に、扉２の上面を覆う上面パネル１２と、扉２の下面を覆う下面パネル１３とが、溶接によって一体的に設けられている。前面パネル１１は、中央部分が前方に膨出しており、水平断面が円弧状になっている。また、左右両端が、後方へ折り返されて、接合部２０，２０が形成されており、それらの接合部２０，２０が平行になっている。さらに、各接合部２０，２０の所定の箇所にビス孔（図示せず）が穿設されている。一方、上面パネル１２および下面パネル１３は、略三日月状に形成されている。また、図３の如く、各扉用カバーパネル５，５の内側には、前端縁を円弧状に形成した木製の支持板１４，１４、およびそれらの支持板１４，１４を連結する木製の連結板３０からなる補強部材が配設されている。かかる各扉用カバーパネル５，５は、前面パネル１１の接合部２０，２０を冷蔵庫の扉２の側面に当接させた状態で、ビス孔を挿通させたビスを、扉２の側面に穿設されたビス孔（図示せず）に螺合させることによって、扉２を覆うように装着することができるようになっている。また、各扉用カバーパネル５，５の前面パネル１１の左端縁際には、把手取付用孔２１，２１が穿設されており、それらの把手取付用孔２１，２１を利用して把手３１を取り付けることができるようになっている（図２参照）。
【００１４】
実施例１のカバーパネルユニットは、上記の如く、冷蔵庫の本体１および扉２，２の全体を覆うように取り付けられるため、冷蔵庫の外観を良好なものとしたり、冷蔵庫のイメージチェンジをしたりすることができる。
【００１５】
また、実施例１のカバーパネルユニットは、扉用カバーパネル５，５が、扉の前面および左右両側面を覆う前面パネル１１と、扉の上面を覆う上面パネル１２と、扉の下面を覆う下面パネル１３とを溶接によって一体的に設けたものであるため、取り付けがきわめて容易である上、汚れたり、破損したりした場合には、簡単に取り替えることができる。
【００１６】
さらに、実施例１のカバーパネルユニットは、扉用カバーパネル５，５が前方に膨出した形状を有しているため、冷蔵庫が単純な直方体形状である場合でも、特徴的な形状に変更して外観を斬新なものとすることができる。また、扉用カバーパネル５，５の内側に補強部材が配設されており、十分な強度を有しているため、損傷しにくい。
【００１７】
［実施例２］
実施例２のカバーパネルユニットは、冷蔵庫の扉２，２を覆う扉用カバーパネルの構造が、実施例１のカバーパネルユニットと異なっている。
【００１８】
実施例２のカバーパネルユニットの扉用カバーパネル１５，１５は、図４の如く、扉２の上面を覆う上面パネル１６の前端縁に、３個の固定片１７，１７・・が、所定の間隔で下向きに突設されている。また、扉２の下面を覆う下面パネル１８の前端縁に、３個の固定片１７，１７・・が、所定の間隔で上向きに突設されている。そして、各扉用カバーパネル１５，１５は、上面パネル１６の各固定片１７，１７・・の外面を、両面テープによって、扉２の前面および側面を覆う前面パネル１９の上端際の内面に貼着するとともに、下面パネル１８の各固定片１７，１７・・の外面を、両面テープによって、前面パネル１９の下端際の内面に貼着することによって、前面パネル１９と上面パネル１６と下面パネル１８とが一体になっている。かかる各扉用カバーパネル１５，１５も、実施例１の各扉用カバーパネル５，５と同様に、前面パネル１９の接合部２０，２０を冷蔵庫の扉２の側面に当接させた状態で、ビス孔を挿通させたビスを、扉２の側面に穿設されたビス孔（図示せず）に螺合させることによって、扉２を覆うように装着して使用される。
【００１９】
実施例２のカバーパネルユニットも、実施例１のカバーパネルユニットと同様に、冷蔵庫の本体１および扉２，２の全体を覆うように取り付けられるため、冷蔵庫の外観を良好なものとしたり、冷蔵庫のイメージチェンジをしたりすることができる。また、各扉用カバーパネル１５，１５が、扉２の前面および左右両側面を覆う前面パネル１９と、扉の上面を覆う上面パネル１６と、扉の下面を覆う下面パネル１８とを一体的に設けたものであるため、取り付けがきわめて容易である上、汚れたり、破損したりした場合には、簡単に取り替えることができる。
【００２０】
一方、実施例２のカバーパネルユニットは、上面パネル１６の前端縁および下面パネル１８の前端縁に、それぞれ固定片１７，１７・・が連設されており、それらの固定片１７，１７・・を両面テープで前面パネル１９に固着することによって、前面パネル１９と上面パネル１６と下面パネル１８とを一体にしたものであるため、製造時における扉用カバーパネル５，５の組み付けが非常に容易である。
【００２１】
［実施例３］
実施例３のカバーパネルユニットは、冷蔵庫の扉２，２を覆う扉用カバーパネルの構造が、実施例１や実施例２のカバーパネルユニットと異なっている。
【００２２】
図５〜図７は、実施例３のカバーパネルユニットの扉用カバーパネルを示したものであり、扉用カバーパネル２３，２３は、扉２の上面を覆う上面パネル２４の前方下側に、鉄板を断面コ字状に折り曲げ形成してなる装着補助体２９が溶接されており、その装着補助体２９の前側の部分が、上面パネル２４と平行になっている。そして、その装着補助体２９の前端縁には、３個の係合突片２５，２５・・が、所定の距離を隔てて上向きに突設されており、各係合突片２５，２５・・と上面パネル２４の前端縁との間に僅かな隙間（約１ｍｍ程度）が形成された状態になっている。また、扉２の下面を覆う下面パネル２６の前方上側に、上面パネル２４に設置されたものと同一の装着補助体２９が溶接されている。そして、その装着補助体２９の前端縁には、３個の係合突片２５，２５・・が、所定の距離を隔てて下向きに突設されており、各係合突片２５，２５・・と上面パネル２４の前端縁との間に僅かな隙間が形成された状態になっている。一方、扉２の前面および側面を覆う前面パネル２７，２７の上端縁および下端縁が、それぞれ、内向きのＵ字状に折り返されて、折り返し部２８が形成されている。
【００２３】
かかる扉用カバーパネル２３，２３を冷蔵庫の扉２に装着する場合には、上面パネル２４の後端縁の折返し部３２と装着補助体２９の後端縁の折返し部３３との間に扉２の上端縁を嵌め込むとともに、下面パネル２６の後端縁の折返し部３２と装着補助体２９の後端縁の折返し部３３との間に扉２の下端縁を嵌め込む。そして、前面パネル２７の接合部２０，２０を冷蔵庫の扉２の側面に当接させた状態で、前面パネル２７，２７の上端縁の折り返し部２８を、上面パネル２４の装着補助体２９の各係合突片２５，２５・・に係合させてかしめるとともに、扉用カバーパネル５の下端縁の折り返し部２８を、下面パネル２６の装着補助体２９の各係合突片２５，２５・・に係合させてかしめることによって、扉２の外側において、前面パネル２７と上面パネル２４と下面パネル２６とを一体的に組み付ける。しかる後、ビスによって、前面パネル２７の接合部２０，２０と、扉２の側面とを螺合させる。
【００２４】
実施例３のカバーパネルユニットも、実施例１や実施例２のカバーパネルユニットと同様に、冷蔵庫の本体１および扉２，２の全体を覆うように取り付けられるため、冷蔵庫の外観を良好なものとしたり、冷蔵庫のイメージチェンジをしたりすることができる。
【００２５】
一方、実施例３のカバーパネルユニットは、各扉用カバーパネル２３，２３が、扉２の前面および左右両側面を覆う前面パネル２７と、扉の上面を覆う上面パネル２４と、扉の下面を覆う下面パネル２６とからなり、上面パネル２４の前端縁に係合突片２５，２５・・が下向きに突設されており、下面パネル２６の前端縁に係合突片２５，２５・・が上向きに突設されているとともに、前面パネル２７の上下端縁に、折り返し部２８が設けられており、上面パネル２４の係合突片２５，２５・・および下面パネル２６の係合突片２５，２５・・を前面パネル２７の折り返し部２８に係合させることによって、前面パネル２７と上面パネル２４と下面パネル２６とを一体にした状態で扉２を覆うもの（すなわち、上面パネル２４の装着補助体２９の係合突片２５，２５・・および下面パネル２６の装着補助体２９の係合突片２５，２５・・を前面パネル２７の折り返し部２８に係合させてかしめた状態で扉２を覆うもの）であるため、前面パネル２７と上面パネル２４と下面パネル２６とがバラバラに分離しないので、扉２から外れにくい。その上、きわめて頑丈で、壊れにくい。
【００２６】
なお、本発明のカバーパネルユニットの構成は、上記実施形態の態様に何ら限定されるものではなく、本体用カバーパネル、扉用カバーパネル等の構成を、本発明の趣旨を逸脱しない範囲で、必要に応じて適宜変更することができる。また、本発明のカバーパネルユニットを取り付ける冷蔵庫の形状も、上記実施形態に示されたものに何ら限定されない。
【００２７】
たとえば、カバーパネルユニットを設置する冷蔵庫は、扉が上下に分割されているものに限定されず、扉が一体になったものや、扉が左右に分割されているものでも良い。また、カバーパネルユニットを構成する各カバーパネルは、ステンレス板からなるものに限定されず、鋼板からなるものでも良い。また、各カバーパネルは、着色されたものに限定されず、研磨しただけのものや、つや消し処理、光沢付加処理等の表面処理を施しただけのもの等でも良い。
【００２８】
また、扉用カバーパネルを、上記実施例２の如く、上面パネルおよび下面パネルの固定片を前面パネルに固着したものとする場合には、上面パネルおよび下面パネルの固定片と前面パネルとの固着は、両面テープによる固着に限定されず、ネジによる螺着や、接着剤による接着、溶接（ポイント溶接）等に変更することもできる。加えて、上面パネルおよび下面パネルに設ける固定片の個数は、３個に限定されず、任意の個数に変更することができる。
【００２９】
さらに、扉用カバーパネルを、上記実施例３の如く、上面パネルおよび下面パネルの係合突片を前面パネルの折り返し部に係着させたものとする場合には、上面パネルおよび下面パネルに設ける係合突片の形状は、先端を外向きにしたＵ字状に限定されず、適宜変更することができるし、係合突片の設置個数も、必要に応じて適宜変更することができる。
【００３０】
加えて、扉用カバーパネルを補強部材によって補強する場合には、補強部材の素材は木材に限定されず、合成樹脂等に変更することも可能である。
【００３１】
【発明の効果】
本発明の冷蔵庫用カバーパネルユニットは、扉用カバーパネルが、扉の前面および左右両側面を覆う前面パネルと、扉の上面を覆う上面パネルと、扉の下面を覆う下面パネルとを一体的に設けたものであるので、扉用カバーパネルが冷蔵庫の扉から外れにくい。また、取り付けがきわめて容易である上、汚れたり、破損したりした場合には、簡単に取り替えることができる。
【００３３】
本発明の扉用カバーパネルユニットは、扉用カバーパネルが、扉の前面および左右両側面を覆う前面パネルと、扉の上面を覆う上面パネルと、扉の下面を覆う下面パネルとからなり、上面パネルの前方下側に、鉄板を断面コ字状に折り曲げ形成してなり後縁端に折り返しを設けた装着補助体が溶接され、かつその前端縁に係合突片が突設されており、下面パネルの前方上側に、鉄板を断面コ字状に折り曲げ形成してなり後縁端に折り返しを設けた装着補助体が溶接され、その前端縁に係合突片が突設されているとともに、前面パネルの上下端縁にＵ字状の折り返し部が設けられており、なおかつ、上面パネルの後端縁および下面パネルの後端縁に、それぞれ折り返しが設けられており、上面パネルのコ字状係合突片および下面パネルのコ字状係合突片を前面パネルの折り返し部に係合させることによって、前面パネルと上面パネルと下面パネルとを一体にし、かつ、上面パネルに溶接された装着補助体の折り返しと上面パネルの後端縁の折り返しとの間に、扉の上端縁を嵌め込み、下面パネルに溶接された装着補助体の折り返しと下面パネルの後端縁の折り返しとの間に、扉の下端縁を嵌め込んだ状態で、前記扉用カバーパネルが冷蔵庫の扉の外側を覆うものである。したがって、扉用カバーパネルが冷蔵庫の扉から外れにくい。
【図面の簡単な説明】
【図１】カバーパネルユニットを冷蔵庫（本体と扉とを分解した冷蔵庫）に取り付ける様子を示す説明図である。
【図２】カバーパネルユニットを取り付けた冷蔵庫を示す説明図である。
【図３】扉用パネルを示す説明図である。
【図４】扉用カバーパネルを示す説明図である。
【図５】扉用カバーパネルを示す説明図である。
【図６】扉用カバーパネルの中央部分（幅方向の中央部分）の鉛直断面を示す説明図である。
【図７】扉用カバーパネルを扉に装着する様子を示す説明図である。
【符号の説明】
１・・本体、２・・扉、４・・本体用カバーパネル、５・・扉用カバーパネル、６，７・・側面パネル、８・・天井パネル、９・・仕切り板パネル、１０・・底板パネル、１１・・前面パネル、１２・・上面パネル、１３・・下面パネル、１４・・支持板、１５・・扉用カバーパネル、１６・・上面パネル、１７・・固定片、１８・・下面パネル、１９・・前面パネル、２０・・接合部、２１・・把手取付用孔、２３・・扉用カバーパネル、２４・・上面パネル、２５・・係合突片、２６・・下面パネル、２７・・前面パネル、２８・・折り返し部、２９・・装着補助体、３０・・連結板、３１・・把手、３２，３３・・折返し部。
【図１】
0003939958.tif 000002
【図２】
0003939958.tif 000003
【図３】
0003939958.tif 000004
【図４】
0003939958.tif 000005
【図５】
0003939958.tif 000006
【図６】
0003939958.tif 000007
【図７】
0003939958.tif 000008